(57)【要約】【課題】      部品点数や重量を増やすことなく簡単な構造で釣糸巻き取りトルクを選択可能な魚釣用リ−ルを提供することである。【解決手段】  ハンドルＡは、駆動軸１２に連結されたハンドルア−ム２とハンドルア−ム２の端部２ａに図示しない支軸を介して回転自在に取り付けられた釣糸を巻き取り操作する操作部３で構成されている。  ハンドルア−ム２には、駆動軸１２との連結部２ｂから径方向外方に向けて指を掛けて釣糸を巻き取り回転操作する湾曲凹部からなる他の操作部２ｃが形成されている。【選択図】        図１
2007174987.tif 000002
【特許請求の範囲】
【請求項１】
リ−ル本体に挿着された駆動軸に連結されるハンドルア−ムと、当該ハンドルア−ムの端部に設けられた釣糸を巻き取り操作するための操作部からなるハンドルを備えた魚釣用リ−ルに於いて、上記ハンドルア−ムの駆動軸に連結される連結部から径方向外方に向けて指を掛けて巻き取り回転操作するための他の操作部を前記ハンドルアームに形成したことを特徴とする魚釣用リ−ル。
【請求項２】
リ−ル本体に挿着された駆動軸に連結されて釣糸を巻き取り操作するためのハンドルを備えた魚釣用リ−ルに於いて、上記ハンドルの駆動軸に連結される連結部から径方向外方に向けて指を掛けて巻き取り回転操作するための操作部を前記ハンドルに複数形成したことを特徴とする魚釣用リ−ル。
【発明の詳細な説明】
【技術分野】
【０００１】
本件発明は、釣糸の巻き取り操作を行う魚釣用リ−ルに関する。
【背景技術】
【０００２】
従来周知のように、魚釣用リ−ルに於ける釣糸の巻き取り操作は、釣糸の巻き取り駆動機構に連結されたハンドルによって行われている。
そして、従来、この種のハンドルは、ハンドルア−ムとその端部の支軸に回転可能に取り付くハンドルつまみとで構成されており、リ−ル本体に挿着された駆動軸（ハンドル軸）に固着されている。
ところで、従来のハンドルア−ムは、その長さが一定であり、使用中にハンドルア−ムの長さを調節できるものはなかった。
従って、ハンドルア−ムの長さが短いと巻き取りトルクが小さくなるために、大物の魚や引きの強い魚が掛かった時に巻き取り操作に多大な力を要し、大変苦労していた。
逆に、ハンドルア−ムの長さが長いと釣糸を速く巻き取ったり、小物の魚が掛かったときの取り込み、或いは、仕掛けの微妙な誘動操作に不便をきたしていた。
そこで、ハンドルア−ムの長さを調節可能にして釣糸の巻き取りトルクを選択可能にしたものや、２本のハンドルア−ムを一体に形成し、夫々のハンドルア−ムの端部にハンドルつまみを設けると共に、夫々のハンドルア−ムの長さに差異を形成して釣糸の巻き取りトルクを選択可能にしたものや、ハンドル軸に釣糸の繰り出しに伴うロ−タ−の逆回転を制動するための制動円盤を設けると共に、前記制動円盤の外側周縁部にハンドルつまみを設けて、ハンドルつまみ又は制動円盤を用いて釣糸の巻き取りトルクを選択可能にしたものが特許文献１乃至３で知られている。
【特許文献１】実開昭４７−８６８６号公報
【特許文献２】実開平４−９４９６９号公報
【特許文献３】実開昭５０−１１９５９１号公報
【発明の開示】
【発明が解決しようとする課題】
【０００３】
解決しようとする問題点は、特許文献１に見られる構成の魚釣用リ−ルのハンドルは、ハンドルア−ムの長さを変えることによって釣人の好みに応じた釣糸巻き取りトルクを選択することができるが、部品点数の増加により製品コストが高くなる。
ハンドルア−ムの長さ調節機構部の組み付きガタにより快適な釣糸巻き取り回転操作に支障をきたす。
実釣時にハンドルア−ムの長さを調節するのに手間が掛かる、といった問題がある。
特許文献２に見られる構成の魚釣用リ−ルのハンドルは、長さの異なるハンドルア−ムの端部に設けられているハンドルつまみを持ち替えることによって釣人の好みに応じた釣糸巻き取りトルクを選択することができるが、釣糸巻き取り時に使用していない側のハンドルア−ム（つまみ）が指に当たったり、釣糸が絡んだりしてハンドルを回し難い。
２本のハンドルア−ムを一体に形成しているので重量が重くなると共に製品コストも高くなる、といった問題がある。
特許文献３に見られる構成の魚釣用リールのハンドルは、ハンドル軸と一体の制動円盤の外周縁に指を当接させて釣糸の繰り出しに伴うロ−タ−の逆回転を制動するもので、制動円盤の軽量化用としての肉抜き孔が複数形成されているが、制動円盤の肉抜き孔に指を挿入して制動円盤を回転させた時にハンドルつまみが邪魔になって回転操作しにくい、といった問題がある。
【０００４】
本発明の目的は前記欠点に鑑み、部品点数や重量を増やすことなく簡単な構造で複数の釣糸巻き取りトルクを選択可能な魚釣用リ−ルを提供することである。
【課題を解決するための手段】
【０００５】
本発明の請求項１は、リ−ル本体に挿着された駆動軸に連結されるハンドルア−ムと、当該ハンドルア−ムの端部に設けられた釣糸を巻き取り操作するための操作部からなるハンドルを備えた魚釣用リ−ルに於いて、上記ハンドルア−ムの駆動軸に連結される連結部から径方向外方に向けて指を掛けて巻き取り回転操作するための他の操作部を前記ハンドルアームに形成したことを要旨とするものである。
本発明の請求項２は、リ−ル本体に挿着された駆動軸に連結されて釣糸を巻き取り操作するためのハンドルを備えた魚釣用リ−ルに於いて、上記ハンドルの駆動軸に連結される連結部から径方向外方に向けて指を掛けて巻き取り回転操作するための操作部を前記ハンドルに複数形成したことを要旨とするものである。
【発明の効果】
【０００６】
本発明の請求項１によれば、ハンドルア−ムの駆動軸に連結される連結部から径方向外方に向けて指を掛けて巻き取り回転操作するための他の操作部を前記ハンドルアームに形成したことで、部品点数を増やすことなく簡単な構造で実釣時に発生する回転操作の低負荷又は高負荷の状況に応じた巻き取り回転位置、即ち、複数の釣糸巻き取りトルクを選択可能にすることができる。
本発明の請求項２によれば、ハンドルの駆動軸に連結される連結部から径方向外方に向けて指を掛けて巻き取り回転操作するための操作部を前記ハンドルに複数形成したことで、簡単な構造で複数の釣糸巻き取りトルクを選択することができると共に、ハンドルつまみが邪魔になって回転操作しにくいといった不具合が解消される。
【発明を実施するための最良の形態】
【０００７】
ハンドルＡは、駆動軸１２に連結されたハンドルア−ム２とハンドルア−ム２の端部２ａに図示しない支軸を介して回転自在に取り付けられた釣糸を巻き取り操作する操作部３で構成されている。
ハンドルア−ム２には、駆動軸１２との連結部２ｂから径方向外方に向けて釣糸を巻き取り操作する湾曲凹部からなる他の操作部２ｃが形成されている。
【実施例１】
【０００８】
以下、図面を参照しつつ本発明について説明する。
魚釣用リ−ルを魚釣用スピニングリ−ルで述べると、図１から図３は第１実施例で、図１は魚釣用スピニングリ−ルの側面図、図２は魚釣用スピニングリ−ルの背面図、図３はハンドルの他の操作部に手の指を掛けた魚釣用スピニングリ−ルの側面図である。
【０００９】
魚釣用スピニングリ−ルは、リ−ル本体１とリ−ル本体１の前部に回転自在に設けられたロ−タ１０とロ−タ１０の前側に前後に往復動自在に設けられたスプ−ル１１とリ−ル本体１内の駆動軸１２と駆動歯車１３とロ−タ１０が取り付けられた図示しない回転軸筒と回転軸筒に設けられた駆動歯車１３と噛合する図示しないピニオンで駆動機構が構成され、ハンドルＡの回転で駆動機構を介してロ−タ１０が回転させる。
駆動軸１２はリ−ル本体１に左右交換自在に挿着されている。
【００１０】
ハンドルＡは、駆動軸１２に連結されたハンドルア−ム２とハンドルア−ム２の端部２ａに図示しない支軸を介して回転自在に取り付けられた釣糸を巻き取り操作する操作部３で構成されている。
ハンドルア−ム２には、駆動軸１２との連結部２ｂから径方向外方に向けて指を掛けて釣糸を巻き取り回転操作する湾曲凹部からなる他の操作部２ｃが形成されている。
【００１１】
ロ−タ１０が回転されてスプ−ル１１に図示しない釣糸が巻回される時は、釣糸を巻き取り操作する操作部３が手の指で握られてハンドルア−ム２を回転することでハンドルＡが回転される。
釣糸の巻き上げトルクを微妙に調節して釣糸を巻き取り操作する時は、手の指を湾曲凹部からなる他の操作部２ｃに掛けてハンドルア−ム２を回転操作することで、ハンドルＡを高感度良く回転操作できるので、巻き取り操作中の魚のアタリを敏感に感じ取ることが可能となる。
他の操作部２ｃに手の指を掛けて釣糸を巻き取り回転操作中に急激に強い引きがあった時は、素早く操作部３を握ったり、ハンドルア−ム２を握ることで対応することができる。
【００１２】
前記のように魚釣用スピニングリ−ルが構成されると、部品点数を増やすことなく簡単な構造で複数の釣糸巻き取りトルクを選択可能にすることができる。
【実施例２】
【００１３】
図４は第２実施例で、（ａ）はハンドルの平面図で（ｂ）はハンドルの一部断面側面図である。
【００１４】
第２実施例では、ハンドルＡのハンドルア−ム２に透孔からなる他の操作部２ｄが連結部２ｂから径方向外方に向けた位置に形成されている。
その他の構成は前記第１実施例と同様であるため、それらの説明は省略する。
【００１５】
第２実施例で、釣糸の巻き上げトルクを微妙に調節して釣糸を巻き取り操作する時には、ハンドルア−ム２の透孔からなる他の操作部２ｄに指を挿入したり、突出した孔縁外側に指を掛けてハンドルア−ム２を回転操作することでハンドルＡが回転される。
【実施例３】
【００１６】
図５は第３実施例で、（ａ）はハンドルの平面図で（ｂ）はハンドルの一部断面側面図である。
【００１７】
第３実施例では、ハンドルＡのハンドルア−ム２に湾曲凹部からなる他の操作部２ｅが連結部２ｂから径方向外方に向けた位置に形成されている。
その他の構成は前記第１実施例と同様であるため、それらの説明は省略する。
【００１８】
第３実施例で、釣糸の巻き上げトルクを微妙に調節して釣糸を巻き取り操作する時には、ハンドルア−ム２の湾曲凹部からなる他の操作部２ｅ内に指が掛けられてハンドルア−ム２を回転操作することでハンドルＡが回転される。
【実施例４】
【００１９】
図６は第４実施例で、（ａ）はハンドルの平面図で（ｂ）はハンドルの側面図である。
【００２０】
第４実施例では、ハンドルＡのハンドルア−ム２に蛇行する曲部からなる他の操作部２ｆが連結部２ｂから径方向外方に向けた位置に形成されている。
その他の構成は前記第１実施例と同様であるため、それらの説明は省略する。
【００２１】
第４実施例で、釣糸の巻き上げトルクを微妙に調節して釣糸を巻き取り操作する時には、ハンドルア−ム２の蛇行する曲部からなる他の操作部２ｆに指が掛けられてハンドルア−ム２を回転操作することでハンドルＡが回転される。
【実施例５】
【００２２】
図７は第５実施例で、（ａ）はハンドルの平面図で（ｂ）はハンドルの側面図である。
【００２３】
第５実施例では、ハンドルＡのハンドルア−ム２の連結部２ｂの周囲に連結部２ｂから径方向外方に向けた複数の腕部からなる他の操作部２ｇが形成されている。
その他の構成は前記第１実施例と同様であるため、それらの説明は省略する。
【００２４】
第５実施例で、釣糸の巻き上げトルクを微妙に調節して釣糸を巻き取り操作する時には、ハンドルア−ム２の複数の腕部からなる他の操作部２ｇの間に指が掛けられてハンドルア−ム２を回転操作することでハンドルＡが回転される。
【実施例６】
【００２５】
図８、図９は第６実施例で、図８は魚釣用スピニングリ−ルの側面図、図９は魚釣用スピニングリ−ルの要部断面背面図である。
【００２６】
第６実施例では、ハンドルＡが円盤形ハンドルで構成されて円盤形ハンドル４に内径の異なる凹部からなる複数の他の操作部４ａが中心の連結部４ｂから径方向外方に向けて位置を変えて形成されている。
この例の場合は、図示しない支軸を介して回転自在に取り付けられた釣糸を巻き取り操作する操作部は省略されている。
その他の構成は前記第１実施例と同様であるため、それらの説明は省略する。
【００２７】
第６実施例で、釣糸の巻き上げトルクを微妙に調節して釣糸を巻き取り操作する時には、円盤形ハンドル４の内径の異なる凹部からなる複数の他の操作部４ａ内に手の指が掛けられて円盤形ハンドル４を回転操作することでハンドルＡが回転される。
他の操作部４ａは凹部で形成されているので、他の操作部４ａに挿入した手の指が回転するロ−タ１０に接触することはない。
【００２８】
第６実施例のようにハンドルＡが構成されると、簡単な構造で複数の釣糸巻き取りトルクを選択することができると共に、ハンドルつまみが邪魔になって回転操作しにくいといった不具合が解消される。
【実施例７】
【００２９】
図１０、図１１は第７実施例で、図１０は魚釣用スピニングリ−ルの側面図、図１１は魚釣用スピニングリ−ルの要部断面背面図である。
【００３０】
第７実施例では、板状のハンドルア−ム２′に透孔からなる操作部３′と透孔からなる他の操作部２ｈが形成されている。
その他の構成は前記第１実施例と同様であるため、それらの説明は省略する。
【実施例８】
【００３１】
図１２は第８実施例で、（ａ）はハンドルの平面図で（ｂ）はハンドルの側面図である。
【００３２】
第８実施例では、円盤形ハンドル４の外周に凹部からなる複数の他の操作部４ｃが中心の連結部４ｂから径方向外方に向けて形成されている。
この例の場合は、図示しない支軸を介して回転自在に取り付けられた釣糸を巻き取り操作する操作部は省略されている。
その他の構成は前記第１実施例と同様であるため、それらの説明は省略する。
【産業上の利用可能性】
【００３３】
前記説明では、魚釣用リ−ルを魚釣用スピニングリ−ルで述べたが、他の形式の魚釣用リ−ルに実施してもよい。
【図面の簡単な説明】
【００３４】
【図１】第１実施例で、魚釣用スピニングリ−ルの側面図である。
【図２】同魚釣用スピニングリ−ルの背面図である。
【図３】同ハンドルの他の操作部に手の指を掛けた魚釣用スピニングリ−ルの側面図である。
【図４】第２実施例で、（ａ）はハンドルの平面図で（ｂ）はハンドルの一部断面側面図である。
【図５】第３実施例で、（ａ）はハンドルの平面図で（ｂ）はハンドルの一部断面側面図である。
【図６】第４実施例で、（ａ）はハンドルの平面図で（ｂ）はハンドルの側面図である。
【図７】第５実施例で、（ａ）はハンドルの平面図で（ｂ）はハンドルの側面図である。
【図８】第６実施例で、魚釣用スピニングリ−ルの側面図である。
【図９】同魚釣用スピニングリ−ルの要部断面背面図である。
【図１０】第７実施例で、魚釣用スピニングリ−ルの側面図である。
【図１１】同魚釣用スピニングリ−ルの要部断面背面図である。
【図１２】第８実施例で、（ａ）はハンドルの平面図で（ｂ）はハンドルの側面図である。
【符号の説明】
【００３５】
Ａ  ハンドル
１  リ−ル本体
２、２′  ハンドルア−ム
２ａ  端部
２ｂ、４ｂ  連結部
２ｃ、２ｄ、２ｅ、２ｆ、２ｇ、２ｈ、２ｉ、４ａ、４ｃ  他の操作部
３、３′  操作部
４  円盤形ハンドル
１２  駆動軸
【図１】
2007174987.tif 000003
【図２】
2007174987.tif 000004
【図３】
2007174987.tif 000005
【図４】
2007174987.tif 000006
【図５】
2007174987.tif 000007
【図６】
2007174987.tif 000008
【図７】
2007174987.tif 000009
【図８】
2007174987.tif 000010
【図９】
2007174987.tif 000011
【図１０】
2007174987.tif 000012
【図１１】
2007174987.tif 000013
【図１２】
2007174987.tif 000014